(57)【要約】【課題】欠陥ありの画像と欠陥なしの画像が同一の記録媒体に画像形成された後に画像毎に断裁される場合に、欠陥なしの画像及びその記録媒体部分が無駄になり難い画像形成システムを提供する。【解決手段】画像形成システムは、用紙Ｐに対して、用紙搬送方向Ｘに複数の画像を形成可能であると共に用紙幅方向Ｙに複数の画像を並列して形成可能な画像形成部と、画像形成部が形成した複数の画像の各々を読み取り可能な読取部と、読取部の読取結果に基づいて複数の画像の中に欠陥画像があるかを判断する欠陥判断部と、欠陥判断部が複数の画像の中に欠陥画像があると判断すると欠陥画像を無効画像として成果物の対象から外し、無効画像と用紙幅方向Ｙで隣接する別列の隣接画像が欠陥を有しないと判断すると隣接画像を有効画像として成果物の対象に含める成果物対象判断部と、複数の画像が形成された用紙Ｐを複数の画像毎に断裁する断裁部と、を備える。【選択図】図５
2020187265.tif 000002
【特許請求の範囲】
【請求項１】
記録媒体に対して、記録媒体搬送方向と直交する記録媒体幅方向に複数の画像を並列して形成可能な画像形成部と、
前記画像形成部が形成した複数の画像の各々を読み取り可能な読取部と、
前記読取部の読取結果に基づいて、前記複数の画像の中に欠陥を有する欠陥画像があるか否かを判断する欠陥判断部と、
前記欠陥判断部が前記複数の画像の中に前記欠陥画像があると判断すると前記欠陥画像を無効画像として成果物の対象から外し、前記無効画像と前記記録媒体幅方向で隣接する別列の隣接画像が欠陥を有しないと判断すると前記隣接画像を有効画像として成果物の対象に含める成果物対象判断部と、
前記複数の画像が形成された前記記録媒体を前記複数の画像毎に断裁する断裁部と、
を備えることを特徴とする画像形成システム。
【請求項２】
記録媒体に対して、記録媒体搬送方向に複数の画像を形成可能であると共に前記記録媒体搬送方向と直交する記録媒体幅方向に複数の画像を並列して形成可能な画像形成部と、
前記画像形成部が形成した複数の画像の各々を読み取り可能な読取部と、
前記読取部の読取結果に基づいて、前記複数の画像の中に欠陥を有する欠陥画像があるか否かを判断する欠陥判断部と、
前記欠陥判断部が前記複数の画像の中に前記欠陥画像があると判断すると、前記欠陥画像、及び前記欠陥画像に後続する１又は複数の画像形成済みの画像を無効画像として成果物の対象から外し、前記無効画像と前記記録媒体幅方向で隣接する別列の隣接画像が欠陥を有しないと判断すると、前記隣接画像を有効画像として成果物の対象に含める成果物対象判断部と、
前記複数の画像が形成された前記記録媒体を前記複数の画像毎に断裁する断裁部と、
を備えることを特徴とする画像形成システム。
【請求項３】
前記有効画像が形成された有効画像記録媒体を排出する有効排出部と、
前記無効画像が形成された無効画像記録媒体を排出する無効排出部と、
を備える、ことを特徴とする請求項１又は請求項２に記載の画像形成システム。
【請求項４】
前記無効排出部は、
トレイ、箱、又はサイズを変更して断裁して排出するサイズ変更部である、ことを特徴とする請求項３に記載の画像形成システム。
【請求項５】
前記無効画像が発生した場合には、前記無効画像が形成された記録媒体に後続する記録媒体に対して、元々画像形成することを予定していた予定画像を形成することによって、前記予定画像を回復するように制御する回復部を備える、ことを特徴とする請求項１乃至請求項４のいずれか１項に記載の画像形成システム。
【請求項６】
前記回復部は、
前記無効画像と同列に画像が昇順又は降順で並べられる第１領域、及び前記無効画像とは別列に画像が前記第１領域とは逆順で並べられる第２領域が配置されている場合に、前記予定画像を、前記第１領域の内部で前記無効画像の数だけずらして後続させるように制御する、ことを特徴とする請求項５に記載の画像形成システム。
【請求項７】
前記回復部は、
前記無効画像と同列に画像が昇順又は降順で並べられる第１領域、及び前記無効画像とは別列に画像が前記第１領域とは逆順で並べられる第２領域が配置されている場合に、前記第２領域に空き領域があると判断したときには、前記第１領域に配置する画像を、前記第２領域の前記空き領域に移動するように制御する、ことを特徴とする請求項５に記載の画像形成システム。
【請求項８】
前記回復部は、
前記第１領域から前記第２領域に移動された移動画像を、前記第１領域の順番から前記第２領域の順番に変更して、前記第２領域の画像に後続させるように制御する、ことを特徴とする請求項７に記載の画像形成システム。
【請求項９】
前記回復部は、
前記無効画像と同列に画像が昇順又は降順で並べられる第１領域、及び前記無効画像の別列に画像が前記第１領域とは同順で並べられる第２領域が配置されている場合に、前記第２領域に空き領域があると判断したときには、前記第１領域に配置する画像を、前記第２領域の前記空き領域に移動して、元から配置されていた前記第２領域の画像と後から移動された移動画像との間に区切りを配置するように制御する、ことを特徴とする請求項５に記載の画像形成システム。
【発明の詳細な説明】
【技術分野】
【０００１】
本開示は、画像形成システムに関する。
【背景技術】
【０００２】
従来、記録媒体（用紙）に画像を形成する画像形成装置と、画像形成装置に接続されて画像の欠陥を検査する検査装置と、を有する画像形成システムが知られている。例えば、特許文献１の画像形成システムでは、そのような画像の欠陥（画質異常）を検知する構成を含み、画像に欠陥有りと判定された記録媒体は、不良品（ヤレ）として正常品の位置からオフセットされて排出され、本来記録媒体に形成する予定であった予定画像が新たに記録媒体に形成され、この予定画像が形成された記録媒体が通常の正常品の位置からオフセットされて排出される。
【０００３】
この一方で、複数の画像が記録媒体上に記録媒体搬送方向及び記録媒体幅方向に配列されて画像形成された後に、複数の画像毎に分割して排出される画像形成システムも存在する。
【先行技術文献】
【特許文献】
【０００４】
【特許文献１】特開２００７−３２２４６５号公報
【発明の概要】
【発明が解決しようとする課題】
【０００５】
しかしながら、特許文献１に記載の画像形成システムにおいて、各々の記録媒体に複数の画像が配列されて画像形成された場合に、仮に１枚の記録媒体に形成された複数の画像の１つに欠陥があったとしても、その１枚の記録媒体に形成された複数の画像全てが不良品としてはじかれる。そして、その複数の画像全てが再び新たな記録媒体に画像形成されることになる。この場合に、その記録媒体に形成された欠陥がなかった画像及びその記録媒体部分が無駄になる。
【０００６】
本発明は、かかる事情に鑑みてなされたものであり、欠陥を有する画像と欠陥を有しない画像が同一の記録媒体に形成された後に画像毎に断裁される場合に、欠陥を有しない画像及びその記録媒体部分が無駄に扱われることを減少させることができる画像形成システムを提供することを目的とする。
【課題を解決するための手段】
【０００７】
かかる課題を解決するために、本発明に係る画像形成システムは、記録媒体に対して、記録媒体搬送方向と直交する記録媒体幅方向に複数の画像を並列して形成可能な画像形成部と、前記画像形成部が形成した複数の画像の各々を読み取り可能な読取部と、前記読取部の読取結果に基づいて、前記複数の画像の中に欠陥を有する欠陥画像があるか否かを判断する欠陥判断部と、前記欠陥判断部が前記複数の画像の中に前記欠陥画像があると判断すると前記欠陥画像を無効画像として成果物の対象から外し、前記無効画像と前記記録媒体幅方向で隣接する別列の隣接画像が欠陥を有しないと判断すると前記隣接画像を有効画像として成果物の対象に含める成果物対象判断部と、前記複数の画像が形成された前記記録媒体を前記複数の画像毎に断裁する断裁部と、を備えることを特徴とする。
【０００８】
また、本発明に係る別の画像形成システムは、記録媒体に対して、記録媒体搬送方向に複数の画像を形成可能であると共に前記記録媒体搬送方向と直交する記録媒体幅方向に複数の画像を並列して形成可能な画像形成部と、前記画像形成部が形成した複数の画像の各々を読み取り可能な読取部と、前記読取部の読取結果に基づいて、前記複数の画像の中に欠陥を有する欠陥画像があるか否かを判断する欠陥判断部と、前記欠陥判断部が前記複数の画像の中に前記欠陥画像があると判断すると、前記欠陥画像、及び前記欠陥画像に後続する１又は複数の画像形成済みの画像を無効画像として成果物の対象から外し、前記無効画像と前記記録媒体幅方向で隣接する別列の隣接画像が欠陥を有しないと判断すると、前記隣接画像を有効画像として成果物の対象に含める成果物対象判断部と、前記複数の画像が形成された前記記録媒体を前記複数の画像毎に断裁する断裁部と、を備えることを特徴とする。
【発明の効果】
【０００９】
本発明によれば、欠陥を有する画像と欠陥を有しない画像が同一の記録媒体に形成された後に画像毎に断裁される場合に、欠陥を有しない画像及びその記録媒体部分が無駄に扱われることが減少する。
【図面の簡単な説明】
【００１０】
【図１】本発明の第１実施形態に係る画像形成システムの構成を模式的に示す正面図
【図２】（ａ）断裁排出ユニットの構成を示す断面図（ｂ）カード収容箱の平面図
【図３】断裁前の用紙上の画像の配置を示す平面図
【図４】（ａ）有効画像だけが画像形成された状態を示す用紙の平面図（ｂ）分割されたＡ列の用紙とＢ列の用紙が重ね合わせられる様子を示す平面図
【図５】（ａ）無効画像及び有効画像が画像形成された状態を示す用紙の平面図（ｂ）分割されたＡ列の用紙とＢ列の用紙が重ね合わせられる様子を示す平面図
【図６】制御部の制御工程を示すフローチャート
【図７】比較例に係る画像形成システムによって無効画像及び有効画像が画像形成された状態を示す用紙の平面図
【図８】第２実施形態に係る画像形成システムによって無効画像及び有効画像が画像形成された状態を示す用紙の平面図
【図９】第３実施形態に係る画像形成システムによって無効画像及び有効画像が画像形成された状態を示す用紙の平面図
【図１０】変形例３に係る画像形成システムによって無効画像及び有効画像が画像形成された状態を示す用紙の平面図
【発明を実施するための形態】
【００１１】
以下の説明の中で、第２実施形態及びそれ以降に説明する構成のうち第１実施形態と同様の構成に関しては、第１実施形態の符号を付して説明を省略する。
【００１２】
［第１実施形態］
［画像形成システム］
図１は、本発明の第１実施形態に係る画像形成システム１の構成を模式的に示す正面図である。画像形成システム１は、画像形成装置２と、給送装置３（大容量トレイ）と、インサータ４と、画像読取ユニット５（検知部）と、パージユニット６（無効排出部）と、断裁排出ユニット７と、通常排出ユニット８と、を備える。
【００１３】
［画像形成装置］
画像形成装置２は、例えば複写機といった電子写真方式の画像形成装置であり、画像データに基づいて用紙Ｐ（記録媒体）に画像を形成する。画像形成装置２は筐体２ａ（装置本体）を備える。筐体２ａの内部には、画像形成部１０が配置されている。画像形成部１０は、用紙Ｐに対して、用紙搬送方向Ｘ（記録媒体搬送方向）に複数の画像を形成可能であると共に、用紙搬送方向Ｘと直交する用紙幅方向Ｙ（記録媒体幅方向）（図４及び図５参照）に複数の画像を並列して形成可能な部位である。画像形成部１０は、感光体１１と、帯電部１２と、像露光部１３と、現像部１４と、二次転写部１５と、クリーニング装置１９と、定着装置２１と、を備える。
【００１４】
また、画像形成装置２は、その他に、自動原稿送り部２２と、原稿画像読取部２３、ラインセンサ９５（端部位置検知部）と、レジストローラ対３９ａ，３９ｂと、位置調整ローラ３２ａと、位置調整ローラ３２ｂと、位置調整ローラ３１ａと、位置調整ローラ３１ｂと、モニタ２０１と、制御部２６と、を備える。
【００１５】
感光体１１は、後述の帯電部１２、像露光部１３により静電潜像を担持し、後述の現像部１４のトナーによりトナー像を担持するものである。帯電部１２は、感光体１１の表面を一様に帯電させる部位である。像露光部１３は、画像データを基に後述の制御部２６から出力される出力情報に基づいて、レーザビームにより感光体１１の表面を走査露光し、静電潜像を形成する部位である。現像部１４は、トナーにより感光体１１の表面の静電潜像を現像してトナー像を形成する部位である。
【００１６】
二次転写部１５は、位置調整ローラ３１ａ及び位置調整ローラ３１ｂよりも用紙搬送方向Ｘの下流に配置されており、感光体１１の表面のトナー像を、給送装置３から給送された用紙Ｐに転写する部位である。二次転写部１５は、複数の内側ローラ１６ａ，１６ｂと、二次転写内ローラ１７ａと、二次転写外ローラ１７ｂと、中間転写ベルト１８と、を備える。複数の内側ローラ１６ａ，１６ｂ及び二次転写内ローラ１７ａには、中間転写ベルト１８が懸架されている。
【００１７】
複数の内側ローラ１６ａの一つは、中間転写ベルト１８に回転力を付与するための駆動ローラであり、複数の内側ローラ１６ａの残りは、駆動ローラに対する従動ローラである。複数の内側ローラ１６ｂの各々は、中間転写ベルト１８を複数の感光体１１の各々に付勢するローラである。二次転写内ローラ１７ａは、中間転写ベルト１８を介して二次転写外ローラ１７ｂとニップを形成している。クリーニング装置１９は、トナー像が用紙Ｐに転写された後の感光体１１の表面に残留しているトナーを除去する装置である。
【００１８】
定着装置２１は、加熱及び加圧により用紙Ｐに画像を定着させる装置である。定着装置２１は、定着ローラ２１ａ（定着部材）と、加圧ローラ２１ｂ（加圧部材）と、を有する。加圧ローラ２１ｂが定着ローラ２１ａに圧着されると、定着ローラ２１ａと加圧ローラ２１ｂとの間にニップが形成される。用紙Ｐがこのニップを通過することにより、用紙Ｐには画像が定着されていく。反対に、加圧ローラ２１ｂが定着ローラ２１ａから圧着解除されると、加圧ローラ２１ｂが定着ローラ２１ａから引き離される。
【００１９】
自動原稿送り部２２は、原稿を載置する原稿トレイ２２ａを有し、筐体２ａの上部の上に配置され原稿トレイ２２ａ上の原稿を原稿画像読取部２３の読取位置に送って原稿画像読取部２３に読み取らせる装置である。原稿画像読取部２３は、筐体２ａの上部に配置され、原稿台ガラス面に載置された原稿又は自動原稿送り部２２によって送られる原稿の画像を読み取る部位である。原稿画像読取部２３は、読み取った画像を所定の画像信号として出力する。この画像信号は、所定の処理及び補正を受けた後に制御部２６に出力される。
【００２０】
ラインセンサ９５は、用紙Ｐの用紙幅方向Ｙの端部の位置を検知するセンサである。本実施形態では、ラインセンサ９５は、用紙Ｐの端部の蛇行軌跡を検知することになる。
レジストローラ対３９ａ，３９ｂは、用紙Ｐを、一時停止させた後に二次転写内ローラ１７ａ及び二次転写外ローラ１７ｂに向かわせるタイミングをとるローラ対である。
【００２１】
位置調整ローラ３２ａ，３２ｂは、筐体２ａの内部から用紙Ｐを排出して搬送可能なローラ対である。また、位置調整ローラ３２ａ，３２ｂは、用紙幅方向Ｙに対して所定角度傾斜するように位置を調整可能なローラ対である。位置調整ローラ３２ａは用紙搬送経路の上に配置され、位置調整ローラ３２ｂは用紙搬送経路の下に配置されている。
【００２２】
位置調整ローラ３１ａ，３１ｂは、筐体２ａの内部に用紙Ｐを取り込んで搬送可能なローラ対である。また、位置調整ローラ３１ａ，３１ｂは、位置調整ローラ３２ａ，３２ｂが用紙幅方向Ｙに対して所定角度傾斜するように駆動しない場合には、用紙幅方向Ｙに対して所定角度傾斜するように位置を調整可能である。しかし、位置調整ローラ３１ａ，３１ｂは、位置調整ローラ３２ａ，３２ｂが用紙幅方向Ｙに対して所定角度傾斜するように駆動する場合には、用紙幅方向Ｙに対して所定角度傾斜するように位置を調整しない。位置調整ローラ３１ａは用紙搬送経路の上に配置され、位置調整ローラ３１ｂは用紙搬送経路の下に配置されている。
【００２３】
モニタ２０１は、タッチパネル２０２を有する。タッチパネル２０２には、選択部２０３が表示されている。選択部２０３は、画像形成装置２の操作を選択可能な部位である。選択部２０３は、モニタ２０１のタッチパネル２０２の内部に設けられている。
両面反転搬送路９６は、定着装置２１で画像が定着された用紙Ｐの表裏を反転させて再び画像形成させるための搬送路である。
【００２４】
制御部２６は、筐体２ａの内部機器の駆動を制御する部位である。制御部２６は、画像形成装置２の制御を行う。また、制御部２６は、回復部２６ａを有する。回復部２６ａは、無効画像が発生した場合には、無効画像が形成された用紙Ｐに後続する用紙Ｐに対して、予定画像を形成することによって、予定画像を回復するように制御する部位である。制御部２６としては、ＣＰＵ、ＲＯＭ、ＲＡＭ、Ｉ／Ｏインターフェースを主体に構成されたマイクロコンピュータを用いることができる。ＣＰＵは、各種プログラムを実行する（プロセッサー）。
【００２５】
ＲＯＭは、ＣＰＵが実行する各種プログラムを、当該ＣＰＵが読み取り可能なプログラムコードの形態で格納する。また、ＲＯＭは、プログラムの実行に必要となるデータを記憶する。ＲＡＭは、作業用の記憶領域となるメモリである。ＲＯＭに格納されたプログラム及びデータは、ＣＰＵにより読み出されると、ＲＡＭ上に展開される。そして、ＣＰＵは、ＲＡＭ上に展開したプログラム及びデータに基づいて、各種の処理を行う。
【００２６】
給送装置３は、用紙Ｐを収納する用紙カセット３６，３７，３８を有する。例えば、用紙カセット３６は、載置台３６ａと、ローラ３６ｂと、を有する。載置台３６ａは、用紙Ｐの束が載置される台であり、鉛直方向に昇降可能に構成されている。載置台３６ａは、用紙Ｐの最大量が載置されているときには最下位置に配置されており、用紙Ｐの量が減少するに従って最上位置に移動する。ローラ３６ｂは、載置台３６ａに載置される用紙Ｐの束の最上面の用紙Ｐに圧接して回転し、用紙Ｐを画像形成装置２へと取り込む。
【００２７】
給送装置３は、ユーザがタッチパネル２０２の選択部２０３からコピーを指示した場合、又は、ユーザがネットワークで接続されたパソコンからプリントアウトを指示した場合に、その指示の信号を受信し、用紙カセット３６，３７，３８のうちの指定されたトレイから用紙Ｐを画像形成装置２に給送する。なお、用紙カセット３７，３８も、用紙カセット３６と同様に構成されている。
【００２８】
［インサータ］
インサータ４は、画像形成装置２で画像形成された用紙Ｐと用紙Ｐとの間に挿入する用紙Ｐを用紙搬送経路に送り込むための装置である。用紙Ｐは、定着装置２１を通過し、インサータ４に搬送され、画像読取ユニット５を通過する。
【００２９】
［画像読取ユニット］
画像読取ユニット５は、インサータ４よりも用紙搬送方向Ｘの下流に配置されている。画像読取ユニット５は、第１スキャナー５１（表面画像読取部）（読取部）と、第２スキャナー５２（裏面画像読取部）（読取部）と、制御部５０と、を有する。画像読取ユニット５は、画像形成装置２が用紙Ｐに画像を形成した画像形成面を、用紙Ｐがパージユニット６に搬送される前に第１スキャナー５１及び第２スキャナー５２により読み取って、得られた読取データを制御部５０に出力する。
【００３０】
［第１スキャナー］
第１スキャナー５１は、画像形成部１０が用紙Ｐの表面に形成した複数の画像の各々を読み取り可能な部位である。第１スキャナー５１は、用紙搬送経路の上方に配置され、用紙搬送経路に向かってレーザ光を走査する。
【００３１】
［第２スキャナー］
第２スキャナー５２は、画像形成部１０が用紙Ｐの裏面に形成した複数の画像の各々を読み取り可能な部位である。第２スキャナー５２は、用紙搬送経路の下方に配置され、用紙搬送経路に向かってレーザ光を走査する。第２スキャナー５２は、用紙Ｐの表面に画像が形成されているだけでは駆動せず、用紙Ｐの裏面にも画像が形成されている場合に駆動する。
【００３２】
第１スキャナー５１及び第２スキャナー５２は、複数の受光素子（例えばＣＣＤ（Charge Coupled Device））を有している。この複数の受光素子は、用紙Ｐの面と平行な方向、かつ用紙搬送方向Ｘと直交する用紙幅方向Ｙにライン状に所定間隔毎に配列されてラインセンサとして構成されている。第１スキャナー５１及び第２スキャナー５２は、用紙Ｐが用紙搬送方向Ｘに搬送されることにより、用紙Ｐの全域を読み取ることができる。第１スキャナー５１及び第２スキャナー５２は、制御部５０と接続されている。第１スキャナー５１及び第２スキャナー５２の各受光素子は、光源から射出されて用紙Ｐ上に形成された画像データの表面で反射した光の強度に応じた信号を制御部５０に出力する。なお、ラインセンサとしては、ＣＣＤセンサの他に、ＣＭＯＳ（Complementary Metal Oxide Semiconductor）センサが用いられても良い。
【００３３】
制御部５０は、欠陥判断部５０ａと、成果物対象判断部５０ｂと、を有する。制御部５０は制御部２６と接続されており、制御部５０と制御部２６とは互いに制御情報を伝達可能である。
［欠陥判断部］
欠陥判断部５０ａは、第１スキャナー５１の読取結果に基づいて、用紙Ｐの表面の複数の画像の中に欠陥画像があるか否かを判断する。欠陥判断部５０ａは、第２スキャナー５２の読取結果に基づいて、用紙Ｐの裏面の複数の画像の中に欠陥画像があるか否かを判断する。印刷欠陥とは、画像汚れ、濃度ムラ、見当ずれ、色調不良、等の画像不良や、用紙シワ、用紙キズ、等の用紙不良、等が挙げられる。
【００３４】
［成果物対象判断部］
成果物対象判断部５０ｂは、欠陥判断部５０ａが複数の画像の中に欠陥画像があると判断すると、欠陥画像、及び欠陥画像に同列で後続する１又は複数の画像形成済みの画像順序ありの画像を無効画像として成果物の対象から外す。また、成果物対象判断部５０ｂは、無効画像と用紙幅方向Ｙで隣接する別列の隣接画像が欠陥を有しないと判断すると、隣接画像を有効画像として成果物の対象に含める。また、成果物対象判断部５０ｂは、基準値外と判定した用紙Ｐを、ヤレ紙と判断し、その隣のパージユニット６のパージトレイ６１から排出する。成果物対象判断部５０ｂは、画像チェックして基準値の範囲内であれば、正常な画像であるとして用紙Ｐを、断裁排出ユニット７に搬送する。
【００３５】
［パージユニット］
パージユニット６は、無効画像が形成された複数のヤレ紙（無効画像記録媒体）を排出するユニットである。パージユニット６は、ヤレ紙を排出するためのパージトレイ６１を有する。パージユニット６は、用紙Ｐに複数の画像を形成した場合に、複数の画像の全ての画像が無効画像であった場合に、その全ての無効画像が形成された用紙Ｐを除外する。
【００３６】
［断裁排出ユニット］
図２（ａ）は、断裁排出ユニット７の構成を示す断面図である。図３は、断裁前の用紙Ｐ上の画像の配置を示す平面図である。図３は、用紙Ｐが、用紙搬送方向Ｘに２分割（Ａ，Ｂ）、用紙幅方向Ｙに４分割（α，β，γ，δ）されている例である。用紙搬送方向Ｘを列とし、用紙幅方向Ｙを行と呼ぶ。断裁排出ユニット７は、断裁部７１と、排出部７２と、を有する。
【００３７】
［断裁部］
断裁部７１は、複数の画像（分割画像）が形成された画像付きの用紙Ｐ（画像付き記録媒体）を画像毎に断裁して分割用紙（画像付き分割記録媒体）を形成する部位である。断裁部７１には、画像読取ユニット５から成果物が搬送される。断裁部７１は、縦カッター７３と、横カッター７４ａ，７４ｂと、を有する。
【００３８】
縦カッター７３は、用紙搬送方向Ｘに断裁（ＦＤ断裁）するために用いられ、用紙Ｐを列毎に切断することができるカッターである。縦カッター７３は、図３に示されるように、用紙Ｐを切断線Ｐ１〜Ｐ６に沿って切断する。
横カッター７４ａ，７４ｂは、用紙幅方向Ｙに断裁（ＣＤ断裁）するために用いられ、用紙Ｐを行毎に切断することができるカッターである。横カッター７４ａは上方から用紙搬送経路に突出可能に構成されており、横カッター７４ｂは下方から用紙搬送経路に突出可能に構成されている。横カッター７４ａ，７４ｂは、図３に示されるように、用紙Ｐを切断線Ｐ５１〜Ｐ６０に沿って切断する。
【００３９】
［排出部］
排出部７２は、屑箱７５（無効排出部）と、カード収容箱７６（有効排出部）と、誘導板７７と、サブトレイ７８（無効排出部）（図１参照）と、を有する。
屑箱７５は、複数の画像が形成された用紙Ｐを複数の画像毎に分割した際に発生する画像同士の間に配置されていた余白部分（切れ端部分）を落として廃棄するための箱である。屑箱７５は、無効画像が画像形成されて分割された用紙のみを無効画像の用紙として受け入れることにもなる。
【００４０】
カード収容箱７６は、有効画像が形成された用紙Ｐ（有効画像記録媒体）を排出するための箱である。カード収容箱７６は、複数の画像が形成された用紙Ｐが複数の画像毎に断裁されて分割された後に、画像付きのカード片を収容するための小サイズ紙用の箱である。なお、図２（ｂ）に示されるように、カード収容箱７６は、収容部７６ａ，７６ｂ，７６ｃを有する。例えば、収容部７６ａにはＡ列の用紙Ｐが収容され、収容部７６ｂにはＢ列の用紙Ｐが収容される。
誘導板７７は、用紙切片をカード収容箱７６に誘導するための板である。
サブトレイ７８（図１参照）は、ミス画像を含んだ用紙Ｐを排出するためのトレイである。
【００４１】
［通常排出ユニット］
通常排出ユニット８は、メイントレイ８１と、サブトレイ８２と、を有する。画像形成部１０が通常の画像形成をする場合には、用紙Ｐはメイントレイ８１に排出される。また、ユーザが選択部２０３でサブトレイ８２を選択する場合には、用紙Ｐはサブトレイ８２に排出される。
【００４２】
次に、制御部５０の制御工程に関して説明する。
［Ａ列にもＢ列にもヤレ紙が無い場合］
図４（ａ）は、有効画像だけが画像形成された状態を示す用紙Ｐの平面図である。図４（ａ）に示される複数の画像１０１〜１２０は、チケットプリントの連番画像であり、画像順が有り、用紙搬送方向Ｘに並べられて配列されている。複数の画像１０１〜１２０は、ここでは有効画像だけが形成されていて無効画像が形成されていない。複数の画像１０１〜１２０は、用紙Ｐの表面と裏面の両面に形成されている。画像１０１〜１１０は昇順でＡ列（第１領域）に形成されており、画像１１１〜１２０は降順でＢ列（第２領域）に形成されている。画像１０１〜１１０の裏面画像と画像１１１〜１２０の表面画像とが同一面に配置されるように配置されている。なお、図４（ａ）には表れていないが、同様に、画像１０１〜１１０の表面画像と画像１１１〜１２０の裏面画像とが同一面（図４（ａ）の裏面のこと）に配置されるように配置されている。画像１０１，１０２，１２０，１１９が一枚の用紙Ｐに配置される。画像１０３，１０４，１１８，１１７が一枚の用紙Ｐに配置される。その他の画像も同様に配置される。
【００４３】
図４（ｂ）は、分割されたＡ列の用紙とＢ列の用紙が重ね合わせられる様子を示す平面図である。なお、図４（ｂ）中では画像１０１，１０５，１１０，１１１，１１５，１２０のみを記載しており、それらの間の画像を説明の便宜上省略している。図４（ａ）を参照しつつ説明した５枚の用紙Ｐは、２０枚の用紙Ｐに分割される。そして、図４（ｂ）に示されるように、画像１１０の裏面に対して画像１１１の表面が向い合せられて重ねられるため、２０枚の用紙Ｐの表裏の方向は揃う。
【００４４】
［Ａ列にヤレ紙及び後続する無効画像が有る場合］
本実施形態では、排出後の用紙Ｐの順（画像順）が連番であり、チケットや会員カード等のプリントするようなものを想定して以下説明する。
図５（ａ）は、無効画像及び有効画像が画像形成された状態を示す用紙Ｐの平面図である。図５（ａ）では、画像１０３’は欠陥画像であり、この部分の用紙はヤレ紙となる。画像１０４’，１０５’，１０６’は画像形成済みの画像であり、この部分の用紙は画像形成済み用紙となる。なお、図５（ａ）に記載される画像の面の反対の面は正常な画像であるものとして以下説明していく（図７、図８、図９、図１０も同様とする）。例えば、画像１０３’の裏面は欠陥画像であるが、画像１０３’の表面は正常な画像であるものとして説明していく。
また、この例においても、Ａ列（第１領域）及びＢ列（第２領域）が配置されている。Ａ列（第１領域），Ｂ列（第２領域）と画像１０３’（欠陥画像）との関係は、以下のように言える。Ａ列（第１領域）は、画像１０３’（欠陥画像）と同列に画像が用紙搬送方向Ｘに昇順で並べられている列である。Ｂ列（第２領域）は、画像１０３’（欠陥画像）と別列に画像が用紙搬送方向Ｘに降順（Ａ列とは逆順）で並べられている列である。
【００４５】
成果物対象判断部５０ｂは、欠陥判断部５０ａが複数の画像の中に画像１０３’（欠陥画像）があると判断すると、画像１０３’（欠陥画像）、及び画像１０３’（欠陥画像）に同列で後続する画像順序ありの１又は複数の画像１０４’，１０５’，１０６’（画像形成済みの画像）を無効画像と判断する。すなわち、成果物対象判断部５０ｂは、画像１０３’を欠陥画像として除外し、画像１０４’，１０５’，１０６’を印刷順が変わるからとして無効扱いするのである。なお、成果物対象判断部５０ｂは、Ａ列の画像１０３’，１０４’，１０５’，１０６’とは別列の画像１１８，１１７，１１６，１１５については、無効扱いしない。
【００４６】
回復部２６ａは、画像１０３，１０４，１０５，１０６（予定画像）を、第１領域の内部で無効画像の数だけずらして後続させるように制御する。このように、回復部２６ａは、画像１０３’（欠陥画像）と同列のＡ列（欠陥が検出された列）については、欠陥画像から印刷されるよう面付けを変更するように制御する。なお、回復部２６ａは、画像１０３’（欠陥画像）と別列のＢ列（欠陥が検出されない列）については、面付けを変更しない。
【００４７】
回復部２６ａは、Ｂ列（第２領域）に空き領域があると判断したときには、Ａ列（第１領域）に配置する画像１０９，１１０を、Ｂ列（第２領域）の画像１０７，１０８の隣の領域（空き領域）に移動するように制御する。回復部２６ａは、Ａ列（第１領域）からＢ列（第２領域）に移動された画像１０９，１１０（移動画像）を、Ａ列（第１領域）の順番からＢ列（第２領域）の順番に変更して、Ｂ列（第２領域）の画像に後続させるように制御する。
【００４８】
図５（ｂ）は、分割されたＡ列の用紙ＰとＢ列の用紙Ｐが重ね合わせられる様子を示す平面図である。なお、図５（ｂ）中では画像１０１，１０７，１０８，１０９，１１０，１２０のみを記載しており、それらの間の画像１０２〜１０６，１１９〜１１１を説明の便宜上省略している。図５（ａ）において１枚毎に４枚の画像が印刷された５枚の用紙Ｐは、画像毎に分割されて画像１０１〜１２０の２０枚の用紙Ｐに分割される。そして、図５（ｂ）に示されるように、画像１０８の裏面に対して画像１０９の表面が向い合せられて重ねられるため、２０枚の用紙Ｐの表裏の方向は揃う。
【００４９】
図６は、制御部５０の制御工程を示すフローチャートである。この図６を参照しつつ、制御部５０の制御内容について説明する。制御部５０が制御を開始する。
ステップＳ１において、制御部５０は、無効画像をクリアする。
【００５０】
ステップＳ２において、制御部５０は、複数の画像の中に欠陥画像が有るか否かを判断する。欠陥画像が有る場合には、ステップＳ２で肯定判定され、ステップＳ３に進む。一方、欠陥画像が無い場合には、ステップＳ２で否定判定され、制御を終了する。
【００５１】
ステップＳ３において、制御部５０は、欠陥画像を無効画像に追加する。
【００５２】
ステップＳ４において、制御部５０は、欠陥画像と同列で後続する画像順序有りの画像形成済みの画像が有るか否かを判断する。画像形成済みの画像が有る場合には、ステップＳ４で肯定判定され、ステップＳ５に進む。画像形成済みの画像が無い場合には、ステップＳ４で否定判定され、制御を終了する。
【００５３】
ステップＳ５において、制御部５０は、欠陥画像と同列で後続する画像順序有りの画像形成済み画像を無効画像に追加する。
【００５４】
このように本実施形態において、画像形成システム１は、用紙Ｐに対して、用紙搬送方向Ｘに複数の画像を形成可能であると共に用紙搬送方向Ｘと直交する用紙幅方向Ｙに複数の画像を形成可能な画像形成部１０と、画像形成部１０が形成した複数の画像の各々を読み取り可能な第１スキャナー５１及び第２スキャナー５２と、第１スキャナー５１及び第２スキャナー５２の読取結果に基づいて、複数の画像の中に欠陥画像があるか否かを判断する欠陥判断部５０ａと、欠陥判断部５０ａが複数の画像の中に欠陥画像があると判断すると、欠陥画像、及び欠陥画像に後続する１又は複数の画像形成済みの画像を無効画像として成果物の対象から外し、無効画像と用紙幅方向Ｙで隣接する別列の隣接画像が欠陥を有しないと判断すると、隣接画像を有効画像として成果物の対象に含める成果物対象判断部５０ｂと、複数の画像が形成された用紙Ｐを複数の画像毎に断裁する断裁部７１と、を備える。
【００５５】
この構成によれば、欠陥を有する画像１０３’及び順番不適画像１０４’，１０５’，１０６’並びに欠陥を有しない画像１１８，１１７，１１６，１１５が形成された用紙Ｐを画像毎に分割する場合に、欠陥を有しない画像１１８，１１７，１１６，１１５及びその用紙Ｐの部分が無駄に扱われることが減少する。
【００５６】
また、本実施形態では、画像形成システム１は、複数の画像が形成された記録媒体を複数の画像毎に断裁する断裁部７１と、有効画像が形成された用紙Ｐ（有効画像記録媒体）を排出するカード収容箱７６（有効排出部）と、無効画像が形成された複数の用紙Ｐ（無効画像記録媒体）を排出する屑箱７５（無効排出部）及びパージユニット６（無効排出部）と、を備える。この構成によれば、有効な画像を有する用紙Ｐと無効な画像を有する用紙Ｐとが判別し易い。
【００５７】
また、本実施形態では、画像形成システム１において、無効排出部は、パージトレイ６１（トレイ）、屑箱７５（箱）である。この構成によれば、無効な画像を有する用紙Ｐが判別し易い。
【００５８】
また、本実施形態では、画像形成システム１は、無効画像が発生した場合には、画像１０３’，１０４’，１０５’，１０６’（無効画像）が形成された用紙Ｐに後続する用紙Ｐに対して、元々画像形成することを予定していた画像１０３，１０４，１０５，１０６（予定画像）を形成することによって、画像１０３，１０４，１０５，１０６（予定画像）を回復するように制御する回復部２６ａを備える。この構成によれば、予定画像を形成する順序が変わらないようにして予定画像を画像形成することができる。
【００５９】
また、本実施形態では、画像形成システム１において、回復部２６ａは、画像１０３’，１０４’，１０５’，１０６’（無効画像）と同列に画像が昇順で並べられるＡ列（第１領域）、及び画像１０３’，１０４’，１０５’，１０６’（無効画像）とは別列に画像が第１領域とは逆順で並べられるＢ列（第２領域）が配置されている場合に、画像１０３，１０４，１０５，１０６（予定画像）を、Ａ列（第１領域）の内部で無効画像の数だけずらして後続させるように制御する。この構成によれば、予定画像を形成する順序が変わらないようにして予定画像を画像形成することができる。また、画像形成した後に、画像の並べ替えをする手間を回避することができる。
【００６０】
また、本実施形態では、画像形成システム１において、回復部２６ａは、画像１０３’，１０４’，１０５’，１０６’（無効画像）と同列に画像が昇順で並べられるＡ列（第１領域）、及び無効画像とは別列に画像が第１領域とは逆順で並べられるＢ列（第２領域）が配置されている場合に、Ｂ列（第２領域）に空き領域があると判断したときには、Ａ列（第１領域）に配置する画像１０９，１１０を、Ｂ列（第２領域）の空き領域に移動するように制御する。この構成によれば、Ｂ列（第２領域）の空き領域が有効に活用されると共に、Ａ列（第１領域）に余分に用紙Ｐを必要としない。
【００６１】
また、本実施形態では、画像形成システム１では、回復部２６ａは、Ａ列（第１領域）からＢ列（第２領域）に移動された画像１０９，１１０（移動画像）を、Ａ列（第１領域）の順番からＢ列（第２領域）の順番に変更して、Ｂ列（第２領域）の画像に後続させるように制御する、ことが好ましい。この構成によれば、Ａ列（第１領域）の用紙ＰとＢ列（第２領域）の用紙Ｐとを重ね合わせたときに、第１領域に配置するはずだった１０９，１１０（予定画像）の用紙Ｐを並べ替える必要がなくなる。
【００６２】
［比較例］
図７は、比較例に係る画像形成システムによって無効画像及び有効画像が画像形成された状態を示す用紙Ｐの平面図である。この図７を参照しつつ、比較例の画像形成システムについて説明する。比較例でも、連番画像のチケットをプリントする場合について説明する。図７では、画像１０３’は欠陥画像であり、この部分の用紙はヤレ紙となる。画像１０４’，１０５’，１０６’は画像形成済みの画像であり、この部分の用紙は画像形成済み用紙となる。また、Ａ列（第１領域）及びＢ列（第２領域）が配置されている。Ａ列（第１領域）は、画像１０３’（無効画像）と同列に画像が用紙搬送方向Ｘに昇順で並べられている列である。Ｂ列（第２領域）は、画像１０３’（無効画像）と別列に画像が用紙搬送方向Ｘに降順（Ａ列とは逆順）で並べられている列である。
【００６３】
比較例では、制御部は、画像１０３’，１０４’，１０５’，１０６’と用紙幅方向Ｙで隣接する画像１１８’，１１７’，１１６’，１１５’も無効画像と認識する。
比較例の構成によれば、欠陥が無い画像１１８’，１１７’，１１６’，１１５’に関しても、制御部が再び画像１１８，１１７，１１６，１１５を形成することになり、無駄な制御工程及び用紙Ｐが発生する。
【００６４】
［第２実施形態］
［Ａ列にヤレ紙及び後続する無効画像が有り、Ｂ列にヤレ紙及び後続する無効画像が有る場合］
図８は、第２実施形態に係る画像形成システムによって無効画像及び有効画像が画像形成された状態を示す用紙Ｐの平面図である。第２実施形態でも、連番画像のチケット（又は、会員カード）をプリントする場合について説明する。図８では、画像１０３’は欠陥画像であり、この部分の用紙はヤレ紙となる。画像１０４’，１０５’，１０６’は画像形成済みの画像であり、この部分の用紙は画像形成済み用紙となる。画像１１６’は欠陥画像であり、この部分の用紙はヤレ紙となる。画像１１５’，１１４’，１１３’は画像形成済みの画像であり、この部分の用紙は画像形成済み用紙となる。また、Ａ列（第１領域）及びＢ列（第２領域）が配置されている。Ａ列（第１領域）は、画像が用紙搬送方向Ｘに昇順で並べられている列である。Ｂ列（第２領域）は、画像が用紙搬送方向Ｘに降順（Ａ列とは逆順）で並べられている列である。
【００６５】
第２実施形態に係る画像形成システムが、第１実施形態の画像形成システム１と相違する点は、Ｂ列にも欠陥画像である画像１１６’があり、それに後続して画像形成済みの画像である画像１１５’，１１４’，１１３’がある点である。
【００６６】
図８に示されるように、チケットプリントの連番画像の画像順があり、用紙搬送方向Ｘに並べられて配列されている。ここで、画像１０３’がヤレ紙となり、画像１０３’（除外画像）と同列で昇順のＡ列（第１領域）、及び画像１０３’（除外画像）と別列で逆順のＢ列（第２領域）が並列されている。
【００６７】
回復部２６ａは、画像１０３’，１０４’，１０５’，１０６’（無効画像）が発生した場合には、画像１０３’，１０４’，１０５’，１０６’（無効画像）が形成された用紙Ｐに後続する用紙Ｐに対して、画像１０３，１０４，１０５，１０６（予定画像）を形成することによって、画像１０３，１０４，１０５，１０６（予定画像）を回復するように制御する。
【００６８】
また、回復部２６ａは、画像１１６’，１１５’，１１４’，１１３’（無効画像）が発生した場合には、画像１１６’，１１５’，１１４’，１１３’（無効画像）が形成された用紙Ｐに後続する用紙Ｐに対して、画像１１６，１１５，１１４，１１３（予定画像）を形成することによって、画像１１６，１１５，１１４，１１３（予定画像）を回復するように制御する。
こうした構成によれば、無効画像の別列の有効画像は、活用可能になる。すなわち、無効画像である画像１０３’，１０４’と隣接する有効画像である画像１１８，１１７は、活用され、無駄にならない。また、無効画像である画像１１４’，１１３’と隣接する有効画像である画像１０３，１０４は、活用され、無駄にならない。
【００６９】
［第３実施形態］
［Ａ列が昇順かつＢ列が昇順で配列されている場合であって、Ａ列にヤレ紙及び後続する無効画像が有る場合］
図９は、第３実施形態に係る画像形成システムによって無効画像及び有効画像が画像形成された状態を示す用紙Ｐの平面図である。第３実施形態でも、連番画像チケット（又は、会員カード）をプリントする場合について説明する。図９では、画像１０３’は欠陥画像であり、この部分の用紙はヤレ紙となる。画像１０４’，１０５’，１０６’は画像形成済みの画像であり、この部分の用紙は画像形成済み用紙となる。また、この例においても、Ａ列（第１領域）及びＢ列（第２領域）が配置されている。Ａ列，Ｂ列と画像１０３’との関係は、以下のように言える。Ａ列（第１領域）は、画像１０３’（欠陥画像）と同列に画像が用紙搬送方向Ｘに昇順で並べられている列である。Ｂ列（第２領域）は、画像１０３’（欠陥画像）と別列に画像が用紙搬送方向Ｘに昇順（Ａ列とは同順）で並べられている列である。
【００７０】
第３実施形態に係る画像形成システムが、第１実施形態の画像形成システム１と相違する点は、Ａ列（第１領域）とＢ列（第２領域）とは同順で配置されており、Ａ列の画像１０９，１１０がＢ列に移動されて区切り９０で区切られている点である。
【００７１】
回復部２６ａは、画像１０３（無効画像）と同列に画像が昇順で並べられるＡ列（第１領域）、及び画像１０３（無効画像）と別列に画像がＡ列（第１領域）とは同順で並べられるＢ列（第２領域）が配置されている場合に、Ｂ列（第２領域）に空き領域があると判断したときには、Ａ列（第１領域）に配置する画像１０９，１１０を、Ｂ列（第２領域）の空き領域に移動して、元から配置されていたＢ列（第２領域）の画像１２０と後から移動された画像１０９（移動画像）との間に区切り９０を配置するように制御する。
こうした構成によれば、欠陥画像が発生しても、無駄な用紙Ｐの発生が抑制される。すなわち、Ａ列に画像１０９，１１０を画像形成するはずであった無駄な用紙Ｐの発生が抑制され、Ａ列の画像１０７，１０８に隣接する余白となるはずであった無駄な用紙Ｐの発生が抑制される。また、区切り９０によって画像１０９，１１０が区別され易い。
【００７２】
［変形例］
以上、本発明の実施形態に係る画像形成装置について説明したが、本発明は上述した実施形態に限定されることなく、その発明の範囲内において種々の変形が可能である。
【００７３】
［変形例１］
第１乃至第３実施形態では、無効排出部として屑箱７５及びサブトレイ７８が用いられる構成であったが、上記実施形態に限定されない。無効排出部としてサイズを変更して断裁して排出するサイズ変更部が用いられても良い。サイズ変更部とは、例えば、縦カッター７３により、用紙Ｐを通常の分割よりも細かく分割するようなものが挙げられる。
【００７４】
［変形例２］
第１及び第２実施形態では、Ａ列が昇順で並べられ、Ｂ列が降順で並べられる構成であったが、上記実施形態に限定されない。Ａ列が降順で並べられ、Ｂ列が昇順で並べられる構成であっても良い。
【００７５】
［変形例３］
第１乃至第３実施形態では、排出後の用紙Ｐの順（画像順）を考慮する必要があり、チケット（チケットプリント）や会員カード等のようなものが想定されていたが、上記実施形態に限定されない。排出後の用紙Ｐの順（画像順）を考慮する必要がない、名刺（名刺プリント）等のように同じ画像を画像形成するものであっても良い。
図１０は、変形例３に係る画像形成システムによって無効画像及び有効画像が画像形成された状態を示す用紙Ｐの平面図である。第３実施形態では、番号不要の名刺をプリントする場合について説明する。便宜上用紙Ｐの番号を付しているが、用紙の順番は本実施形態では意味はない。図１０では、画像１０３’は欠陥画像であり、この部分の用紙はヤレ紙となる。画像１０４，１０５，１０６は画像形成済みの画像であり、この部分の用紙は画像形成済み用紙となる。画像１１６’は欠陥画像であり、この部分の用紙はヤレ紙となる。画像１１７，１１８は画像形成済みの画像であり、この部分の用紙は画像形成済み用紙となる。また、この例においても、Ａ列（第１領域）及びＢ列（第２領域）が配置されている。Ａ列（第１領域）において、欠陥画像である画像１０３’が発生すると、画像１０３’（欠陥画像）に対応する画像形成予定であった画像１０３（予定画像）は、画像１０４〜１０６（画像形成済みの画像）に後続させられて割り付けられる。同様に、Ｂ列（第２領域）において、欠陥画像である画像１１６’が発生すると、画像１１６’（欠陥画像）に対応する画像形成予定であった画像１１６（予定画像）は、画像１１７，１１８（画像形成済みの画像）に後続させられて割り付けられる。
【００７６】
［変形例４］
第１乃至第３実施形態では、欠陥判断部５０ａが複数の画像の中に欠陥画像があると判断すると欠陥画像、及び欠陥画像に後続する後続画像を無効画像として成果物の対象から外す構成であったが、後続画像が無い場合には、前述の欠陥画像だけを無効画像として成果物の対象から外しても良い。
【符号の説明】
【００７７】
１        画像形成システム
２        画像形成装置
２ａ      筐体（装置本体）
３        給送装置
４        インサータ
５        画像読取ユニット（検知部）
６        パージユニット（無効排出部）
７        断裁排出ユニット
８        通常排出ユニット
１０      画像形成部
１１      感光体
１２      帯電部
１３      像露光部
１４      現像部
１５      二次転写部
１６ａ    内側ローラ
１６ｂ    内側ローラ
１７ａ    二次転写内ローラ
１７ｂ    二次転写外ローラ
１８      中間転写ベルト
１９      クリーニング装置
２１      定着装置
２１ａ    定着ローラ
２１ｂ    加圧ローラ
２２      自動原稿送り部
２２ａ    原稿トレイ
２３      原稿画像読取部
２６      制御部
２６ａ    回復部
３１ａ    位置調整ローラ
３１ｂ    位置調整ローラ
３２ａ    位置調整ローラ
３２ｂ    位置調整ローラ
３６，３７，３８      用紙カセット
３６ａ    載置台
３６ｂ    ローラ
３９ａ，３９ｂ    レジストローラ対
５０      制御部
５０ａ    欠陥判断部
５０ｂ    成果物対象判断部
５１      第１スキャナー（表面画像読取部）（読取部）
５２      第２スキャナー（裏面画像読取部）（読取部）
６１      パージトレイ
７１      断裁部
７２      排出部
７３      縦カッター
７４ａ    横カッター
７４ｂ    横カッター
７５      屑箱（無効排出部）
７６      カード収容箱（有効排出部）
７６ａ，７６ｂ，７６ｃ    収容部
７７      誘導板
７８      サブトレイ（無効排出部）
８１      メイントレイ
８２      サブトレイ
９０      区切り
９５      ラインセンサ
９６      両面反転搬送路
１０１〜１２０    画像
１０３’〜１０６’  画像
１１３’〜１１６’  画像
２０１    モニタ
２０２    タッチパネル
２０３    選択部
Ｐ        用紙（記録媒体）
Ｐ１〜Ｐ６      切断線
Ｐ５１〜Ｐ６０  切断線
Ｘ        用紙搬送方向（記録媒体搬送方向）
Ｙ        用紙幅方向（記録媒体幅方向）
【図１】
2020187265.tif 000003
【図２】
2020187265.tif 000004
【図３】
2020187265.tif 000005
【図４】
2020187265.tif 000006
【図５】
2020187265.tif 000007
【図６】
2020187265.tif 000008
【図７】
2020187265.tif 000009
【図８】
2020187265.tif 000010
【図９】
2020187265.tif 000011
【図１０】
2020187265.tif 000012